【手続補正書】
【提出日】平成30年3月23日(2018.3.23)
【手続補正１】
【補正対象書類名】特許請求の範囲
【補正対象項目名】全文
【補正方法】変更
【補正の内容】
【特許請求の範囲】
【請求項１】
画像データによって画定された画像を表示するための方法であって、
第１の撮像素子を用いて第１の光源からの光を変調することによって、第１の変調光を生成する段階と、
ブースト光を提供する段階と、
前記ブースト光および前記第１の変調光を組み合わせる段階と、
前記組み合わされた光を第２の撮像素子を用いて更に変調する段階と、を備える、
方法。
【請求項２】
前記ブースト光および前記第１の変調光を合成する段階は、前記第２の撮像素子の表面を、前記ブースト光および前記第１の変調光の両方で照らす段階を有する、請求項１に記載の方法。
【請求項３】
前記ブースト光および前記第１の変調光を合成する段階は、前記ブースト光および前記第１の変調光をプリズム内へ方向付ける段階を有する、請求項１または２に記載の方法。
【請求項４】
前記ブースト光は、前記第２の撮像素子の前記表面を均等に照らす、請求項２に記載の方法。
【請求項５】
前記ブースト光は、所望の輝度プロファイルに従って、前記第２の撮像素子の前記表面に構造化された照明を提供するように配置される、請求項２に記載の方法。
【請求項６】
前記構造化された照明は、前記第２の撮像素子の前記表面のいくつかの部分上において、前記第２の撮像素子の前記表面の複数の他の部分において有するよりも高い輝度を有し、前記構造化された照明の最も高い輝度部分の輝度は、前記構造化された照明の複数の最も低い輝度部分の輝度の少なくとも２倍である、請求項５に記載の方法。
【請求項７】
ブースト光源を操作する段階は、前記ブースト光源による光の出力を制御する段階を有する、請求項１から６の何れか一項に記載の方法。
【請求項８】
前記ブースト光源による光の出力を制御する段階は、前記画像のコントラストに部分的に基づいている、請求項７に記載の方法。
【請求項９】
前記画像の画像ヒストグラムを処理することによって、前記画像の前記コントラストを決定する段階を備える、請求項８に記載の方法。
【請求項１０】
ブースト光源を操作する段階と組み合わせて、前記第１の光源を薄暗くする段階を備える、請求項１から９の何れか一項に記載の方法。
【請求項１１】
閾値サイズを越える何れの暗いパッチも識別すべく、前記画像データを処理する段階と、前記閾値サイズを越える複数の前記暗いパッチを識別することに応答して、ブースト光源をオフにする段階とを備える、請求項１から９の何れか一項に記載の方法。
【請求項１２】
前記ブースト光を生成する段階は、前記第１の光源とは別個のブースト光源を操作する段階を有する、請求項１から１１の何れか一項に記載の方法。
【請求項１３】
前記ブースト光を生成する段階は、前記第１の光源からの光を前記第２の撮像素子へと方向付ける段階を有する、請求項１から１１の何れか一項に記載の方法。
【請求項１４】
前記第１の光源からの光を、前記第２の撮像素子へと方向付ける段階は、可変ビームスプリッタを制御する段階を有する、請求項１３に記載の方法。
【請求項１５】
前記第１の光源からの光を前記第２の撮像素子へと方向付ける段階は、前記第１の光源および２つまたはそれより多くの出力ポートから光を受け取るように配置された１つの入力ポートを有するスイッチによって光を伝送する段階を有し、複数の前記出力ポートのうち１つは、前記光を前記第２の撮像素子に伝送するように配置されている、請求項１３に記載の方法。
【請求項１６】
時分割多重化によって前記第２の撮像素子に供給される前記ブースト光の量を調整する段階を備える、請求項１３または１５に記載の方法。
【請求項１７】
前記画像データを処理して、前記画像に存在する最も低い輝度レベルを決定する段階と、前記画像における前記最も低い輝度レベルに対応するレベルにおいてブースト光源を操作する段階と、を備える、請求項１から１６の何れか一項に記載の方法。
【請求項１８】
前記画像データを処理して、ベール輝度をシミュレーションする段階と、前記画像に存在する最も低い感知可能な輝度レベルを決定する段階と、前記最も低い感知可能な輝度レベルに対応するレベルにおいてブースト光源を操作する段階と、を備える、請求項１から１６の何れか一項に記載の方法。
【請求項１９】
前記第２の撮像素子は、空間光変調器を有する、請求項１から１７の何れか一項に記載の方法。
【請求項２０】
前記第２の撮像素子は、ＬＣＤパネル、ＬＣＯＳ、反射式ＬＣＤパネル、またはＤＭＤを有する、請求項１から１７の何れか一項に記載の方法。
【請求項２１】
画像データに従って複数の画像を表示するプロジェクタを制御するための複数の信号を生成するための方法であって、前記プロジェクタは、第２の撮像素子による更なる変調のために、変調光を前記第２の撮像素子に提供する、第１の撮像素子と、前記第２の撮像素子による変調のために、追加の照明光を伝送するブースト光と、を備え、前記方法は、ベール輝度をシミュレーションして、前記画像における最も低い感知可能な輝度レベルを決定する段階と、前記ブースト光を前記最も低い感知可能な輝度レベルに対応するレベルに設定する信号を生成する段階と、を備える、方法。
【請求項２２】
条件を満たす前記画像データに応答して、ベール輝度をシミュレーションする工程を実行する段階を備える、請求項２１に記載の方法。
【請求項２３】
前記画像のコントラストを決定すべく、前記画像データを処理する段階を備え、前記条件は、前記コントラストが閾値より低いと決定することを有する、請求項２２に記載の方法。
【請求項２４】
前記方法は、前記画像における如何なる暗い特徴も検出する段階を備え、前記条件は、複数の前記暗い特徴の全てが閾値サイズより小さいと決定することを有する、請求項２２または２３に記載の方法。
【請求項２５】
前記複数の暗い特徴の何れかが前記閾値サイズより大きい場合、ブースト光源をオフに設定する信号を生成する段階を備える、請求項２４に記載の方法。
【請求項２６】
前記画像データにおける複数の暗い特徴を検出すべく、前記画像データを処理する段階を備え、前記方法は、前記複数の暗い特徴の何れかが、閾値のサイズより大きい場合、ブースト光源をオフに設定する信号を生成する段階を備える、請求項２１から２３の何れか一項に記載の方法。
【請求項２７】
暗い前記画像の量を決定すべく、前記画像データを処理する段階を備え、前記画像が主に暗い場合、ブースト光源をオフに設定する信号を生成する段階を備える、請求項２１から２６の何れか一項に記載の方法。
【請求項２８】
前記第１の撮像素子を照らす主要光源のレベルを低減する信号を生成することと組み合わせて、前記ブースト光を前記最も低い感知可能な輝度レベルに対応するレベルに設定する前記信号を生成する段階を備える、請求項２１から２７の何れか一項に記載の方法。
【請求項２９】
前記プロジェクタにおけるコントローラによって実行される、請求項２１から２７の何れか一項に記載の方法。
【請求項３０】
前記ブースト光のための複数の制御信号が伴う出力画像データを提供する画像処理システムによって実行される、請求項２１から２７の何れか一項に記載の方法。
【請求項３１】
前記ブースト光は、第２の変調器を均一に照らす、請求項２１から３０の何れか一項に記載の方法。
【請求項３２】
前記ブースト光は、第２の変調器を不均一に照らす、請求項２１から３０の何れか一項に記載の方法。
【請求項３３】
第２の撮像素子による更なる変調のために、前記第２の撮像素子に変調光を提供する、第１の撮像素子と、前記第２の撮像素子に前記第２の撮像素子による変調のために照明を伝送する、ブースト光とを備える、
光プロジェクタ。
【請求項３４】
前記第１の撮像素子は、主要光源からの光の位相および振幅の一方または両方を変調する、請求項３３に記載の光プロジェクタ。
【請求項３５】
前記ブースト光は、主要光源とは別個である、請求項３３または３４に記載の光プロジェクタ。
【請求項３６】
前記ブースト光は、複数の光源を有する、請求項３５に記載の光プロジェクタ。
【請求項３７】
前記ブースト光の複数の光源は、複数の発光ダイオード（ＬＥＤ）を有する、請求項３５に記載の光プロジェクタ。
【請求項３８】
前記ブースト光の複数の光源は、複数のレーザダイオードを有する、請求項３５に記載の光プロジェクタ。
【請求項３９】
前記ブースト光の前記複数の光源は、前記第１の撮像素子の外周の周りに配置される、請求項３６から３８の何れか一項に記載の光プロジェクタ。
【請求項４０】
前記ブースト光の前記複数の光源は、リング状に配置される、請求項３６から３９の何れか一項に記載の光プロジェクタ。
【請求項４１】
前記ブースト光の前記複数の光源は、前記第２の撮像素子上においてブースト光の所望のパターンをもたらすべく、個別に制御可能である、請求項３６から４０の何れか一項に記載の光プロジェクタ。
【請求項４２】
前記ブースト光は、主要光源から光を前記第２の撮像素子へと直接方向付ける光学システムを有する、請求項３３または３４に記載の光プロジェクタ。
【請求項４３】
前記光学システムは、可変ビームスプリッタを有する、請求項４２に記載の光プロジェクタ。
【請求項４４】
画像データを処理して、かつ前記第１の撮像素子および前記第２の撮像素子および前記ブースト光のための複数の制御信号を出力する、コントローラを備える、請求項３３または４３に記載の光プロジェクタ。
【請求項４５】
前記コントローラは、画像における最も低い感知可能な輝度レベルを決定すべく、ベール輝度をシミュレーションし、前記ブースト光を前記最も低い感知可能な輝度レベルに対応するレベルに設定する、請求項４４に記載の光プロジェクタ。
【請求項４６】
前記コントローラは、条件を満たす前記画像データに応答して、ベール輝度をシミュレーションする工程を実行する、請求項４５に記載の光プロジェクタ。
【請求項４７】
前記コントローラは、前記画像データを処理して、前記画像のコントラストを決定し、前記条件は、前記コントラストが閾値より低いと決定する段階を有する、請求項４６に記載の光プロジェクタ。
【請求項４８】
前記コントローラは、前記画像における何れの暗い特徴も検出し、前記条件は、複数の前記暗い特徴の全てが閾値サイズより小さいと決定する段階を有する、請求項４６または４７に記載の光プロジェクタ。
【請求項４９】
前記コントローラは、前記複数の暗い特徴の何れかが前記閾値サイズより大きい場合、ブースト光源をオフに設定する、請求項４８に記載の光プロジェクタ。
【請求項５０】
前記コントローラは、前記画像データを処理し、前記画像データにおける複数の暗い特徴を検出し、前記複数の暗い特徴の何れかが閾値サイズより大きい場合、ブースト光源をオフに設定する、請求項４７から４９の何れか一項に記載の光プロジェクタ。
【請求項５１】
前記コントローラは、前記画像データを処理し、暗い前記画像の量を決定し、前記画像が主に暗い場合、ブースト光源をオフに設定する、請求項４７から５０の何れか一項に記載の光プロジェクタ。
【請求項５２】
前記コントローラは、前記第１の撮像素子の照明のレベルを低減することと組み合わせて、前記ブースト光を前記最も低い感知可能な輝度レベルに対応するレベルに設定する、請求項４７から５１の何れか一項に記載の光プロジェクタ。
【請求項５３】
前記第２の撮像素子は、空間光変調器を有する、請求項３３から５２の何れか一項に記載の光プロジェクタ。
【請求項５４】
前記第２の撮像素子は、ＬＣＤパネル、ＬＣＯＳ、反射式ＬＣＤパネル、またはＤＭＤを有する、請求項３３から５２の何れか一項に記載の光プロジェクタ。
【請求項５５】
変調光を生成すべく、直列に配置された複数の撮像段階を制御する段階と、低い黒レベルが不要である場合、前記複数の撮像段階の最後の１つの前に、光を選択的に加える段階と、を備える、光投射法。
【請求項５６】
画像データを処理して、前記画像データによって表される画像のコントラストを決定する段階を備え、前記コントラストが閾値未満である場合に、前記光を加える段階を備える、請求項５５に記載の光投射法。
【請求項５７】
画像ヒストグラムを処理することによって、前記コントラストを決定する段階を備える、請求項５６に記載の光投射法。
【請求項５８】
前記複数の撮像段階の前記最後の１つにおいて加えられた前記光を、均一に分布させる段階を備える、請求項５５から５７の何れか一項に記載の光投射法。
【請求項５９】
前記複数の撮像段階を制御する段階は、前記複数の撮像段階を制御し、前記複数の撮像段階上に入射する光の位相および振幅のうち１または複数を変調する段階を有する、請求項５５から５８の何れか一項に記載の光投射法。
【請求項６０】
投射される画像を画定するデータに基づいて加えられた光の量を変化させる段階を備える、請求項５５から５９の何れか一項に記載の光投射法。
【請求項６１】
前記複数の撮像段階の前記最後の１つにおいて加えられた前記光を、不均一に分布させる段階を備える、請求項５５から５７の何れか一項に記載の光投射法。
【請求項６２】
早期の複数の撮像段階からの複数のアーチファクトと総和された前記加えられた光が、前記複数の撮像段階の前記最後の１つの均一な照明をもたらすように、前記加えられた光を構造化する段階を備える、請求項６１に記載の光投射法。
【請求項６３】
光プロジェクタであって、
主要光源からの光を変調するように配置された、第１の撮像段階と、
第１の撮像素子によって変調された光を更に変調するように配置された、第２の撮像段階と、
加えられた光が、前記第２の撮像段階によって変調されるように、前記第１の撮像段階の後、および前記第２の撮像段階の前に光を加えるように配置された、ブースト光と、
低い黒レベルは不要である場合、画像データを処理して、前記ブースト光を操作するように動作するコントローラと、を備える、
光プロジェクタ。
【請求項６４】
前記コントローラは、前記画像データによって表される画像のコントラストを決定すべく、前記画像データを処理し、前記コントラストが閾値未満である場合に、前記ブースト光を操作して光を加える、請求項６３に記載の光プロジェクタ。
【請求項６５】
前記コントローラは、画像ヒストグラムを処理することによって、前記コントラストを決定する、請求項６４に記載の光プロジェクタ。
【請求項６６】
前記ブースト光は、前記第２の撮像段階を均等に照らすように配置されている、請求項６３から６５の何れか一項に記載の光プロジェクタ。
【請求項６７】
前記第１の撮像段階は、前記第１の撮像段階上に入射する光の位相および振幅のうち１または複数を変調するように制御可能である、請求項６３から６５の何れか一項に記載の光プロジェクタ。
【請求項６８】
前記コントローラは、前記画像データに基づいて前記ブースト光によって加えられる光の量を変化させる、請求項６３から６７の何れか一項に記載の光プロジェクタ。
【請求項６９】
画像データによって画定される光パターンを投射するための方法であって、
第１の撮像素子を用いて、第１の光源からの光を変調することによって第１の変調光を生成する段階と、
ブースト光を提供する段階と、
前記第１の変調光を更に変調する段階、および前記ブースト光を変調する段階と、
変調された前記ブースト光および更に変調された前記第１の変調光を組み合わせる段階と、を備える、
方法。
【請求項７０】
複数のプロジェクタを備えるプロジェクタシステムであって、前記複数のプロジェクタは、第１のプロジェクタおよび第２のプロジェクタによって投射された光が、表示のために投射画像へと合成されるように配置された、少なくとも前記第１のプロジェクタおよび第２のプロジェクタを有し、前記第１のプロジェクタおよび前記第２のプロジェクタは、ダイナミックレンジ、黒レベルおよびピーク輝度から選択される複数の異なる画像特性を有する、プロジェクタシステム。
【請求項７１】
車両ヘッドライトにおいて光を投射すべく適用される、請求項１から３２、請求項５５から６２、および請求項６９の何れか一項に記載の方法、または請求項３３から５４および請求項６３から６８の何れか一項に記載の光プロジェクタ、または請求項７０に記載のプロジェクタシステム。
【請求項７２】
２次元プロジェクタから投射された光を、１または複数の他のプロジェクタによって投射された立体画像の対を含む光と組み合わせる段階を含み、前記立体画像の対の左目および右目の画像は、時間および複数の区別可能な光特性のうち一方または両方において互いから区別可能であって、前記２次元プロジェクタによって投射された前記光は、前記左目および右目の画像の両方に一致する光を含む、請求項１から３２、請求項５５から６２、および請求項６９の何れか一項に記載の方法、または請求項３３から５４および請求項６３から６８の何れか一項に記載の光プロジェクタ、または請求項７０に記載のプロジェクタシステム。